(57)【要約】      （修正有）【課題】案内用滑車が汚泥等の中に埋没してしまう事態の発生を回避し、案内用滑車の滑らかな回転によりくらげ流入防止網の海中からの引き上げと、海中への展張を容易に実施することのできる、くらげ流入防止網の展張装置を提供する。【解決手段】くらげ流入防止網Ａの展張装置は、岸壁に設けている取水口の前面に、くらげ流入防止網Ａを展張する場合において、くらげ流入防止網Ａが備えている展開ロープＲ１を海底側で巻回する案内用滑車１を、海底から離れた位置に設置している。施設の取水口側には、取水口の全幅に渡って所定のカーテンウォールＷが海中に設置されており、カーテンウォールＷの上部には、海上に位置するように、作業架台Ｋが設置されている。この作業架台Ｋ上には、所定のスタンションＳが設置されている。また、スタンションＳの前側には、ガイドローラー部Ｇが設置されている。【選択図】図１
0003196179.tif 000002
【実用新案登録請求の範囲】
【請求項１】
岸壁に設けている取水口の前面に、くらげ流入防止網を展張する場合において、くらげ流入防止網が備えている展開ロープを海底側で巻回する案内用滑車を、海底から離れた位置に設置していることを特徴とする、くらげ流入防止網の展張装置。
【請求項２】
案内用滑車を、海底からおよそ０．５メートル乃至４メートル離れた位置に設置している請求項１に記載のくらげ流入防止網の展張装置。
【請求項３】
案内用滑車を、海底からおよそ３メートル離れた位置に設置している請求項１に記載のくらげ流入防止網の展張装置。
【請求項４】
案内用滑車は、海底に設置されているシンカーブロックに、所定の長さのチェーンを介して取り付けられている請求項１乃至３のいずれかに記載のくらげ流入防止網の展張装置。
【考案の詳細な説明】
【技術分野】
【０００１】
本考案は、例えば、原子力発電所や火力発電所等のように、大量の海水を冷却水として利用している施設の取水口に、くらげ等の浮遊物が入り込んでしまう事態の発生を防止するために、取水口の前面にくらげ流入防止網を展張する、くらげ流入防止網の展張装置に関するものである。
【背景技術】
【０００２】
例えば、原子力発電所や火力発電所等の施設においては、海水を冷却水として利用するために、施設が沿岸に設置されることが多い。この様な施設においては、岸壁に設けた取水口を介して、大量の海水を取水している。
【０００３】
この際、海水の取水口からくらげ等の浮遊物が施設の水路内に流入するのを防止するために、例えば、図３に示すように、海中における取水口の前方に、くらげ流入防止網Ａを傾斜状に展張するのが一般的である。
【０００４】
このくらげ流入防止網Ａは、取水口の全体を囲むように設置することから、例えば、図４に示すように、長さが数十メートルから数百メートルあり、また、幅も数メートルから数十メートルもある大型のものとなっている。また、くらげ流入防止網Ａは、全体の網を複数個に分割し、分割した網のそれぞれを相互にロープで緊縛し、一体化することにより構成されている。
【０００５】
さらに、分割した網のそれぞれにおいて、網の両側における下縁に展開ロープＲ１が配設されており、また、網の両側における上縁に引き上げロープＲ２が配設されている。
【０００６】
網の展開ロープＲ１は、図３に示すように、海底に設置されているコンクリート製のシンカーブロックＢに取り付けられている案内用滑車１００に巻回してから、展開ロープＲ１の端部が海上のスタンションＳ側に配置されている。また、網の引き上げロープＲ２の端部も、海上のスタンションＳ側に配置されている。
【０００７】
この他、取水口へのクラゲの流入を防止するものとして、特許文献１に示すクラゲ侵入防止装置が存在している。この装置は、図５に示すように、海水取水口の前面に海底から水面に亙って展張されるくらげ流入防止網Ａを備え、上記海水取水口の全幅に亙ってカーテンウォールＷが架設されると共に、同カーテンウォールＷの海側の海底にシンカーＢ１が埋設され、同シンカーＢ１に、上記くらげ流入防止網Ａの展開ロープＲ１の案内用滑車１００が取り付けられ、上記カーテンウォールＷの上部工に上記展開ロープＲ１の巻取り手段Ｓ１が設けられているものであるが、案内用滑車１００が海底の近辺に設置されている。
【先行技術文献】
【特許文献】
【０００８】
【特許文献１】特開平１０−１１０４２３号公報
【考案の概要】
【考案が解決しようとする課題】
【０００９】
上記したように、図３・図４に示すくらげ流入防止網Ａと、特許文献１に示すくらげ流入防止網Ａ（図５参照）は、いずれも、展開ロープＲ１を巻回する案内用滑車１００が、海底の近辺に設置されていることから、以下のような弊害が生じている。
【００１０】
即ち、くらげ流入防止網Ａを引き上げる際には、案内用滑車１００に巻回している展開ロープＲ１を弛めながら、引き上げロープＲ２を引っ張り上げて、案内用滑車１００の回転を利用してくらげ流入防止網Ａを引き上げているが、案内用滑車１００が海底の近辺に設置されていることから、海中の様々な環境に応じて海底に汚泥等が堆積すると、図３・図５に示すように、案内用滑車１００が汚泥等の中に埋没し易くなっている。
【００１１】
そして、図３・図５に示すように、案内用滑車１００が汚泥等の中に埋没した状態を所定期間継続すると、案内用滑車１００が回転不能となり、展開ロープＲ１を弛めることができない事態が生じている。
【００１２】
また、くらげ流入防止網Ａを海中に展張する際には、まず、展開ロープＲ１を案内用滑車１００に巻回する必要があるが、案内用滑車１００が汚泥等の中に埋没している場合には、事前に汚泥等を除去して案内用滑車１００を露出させるという面倒な作業を実施しなければならない。
【００１３】
さらに、案内用滑車１００に巻回している展開ロープＲ１の端部を、海上のスタンションＳ側で引っ張り上げることにより、案内用滑車１００を回転させながら、くらげ流入防止網Ａを所定の位置に展張するのであるが、海中の環境に応じて、比較的に短期間の内に案内用滑車１００が汚泥等の中に埋没してしまい、案内用滑車１００が回転不能となることも多い。
【００１４】
そこで、本考案は如上のような従来存した諸事情に鑑み創出されたもので、岸壁に設けている取水口の前面に、くらげ流入防止網を展張する場合において、くらげ流入防止網が備えている展開ロープを海底側で巻回する案内用滑車を、海底から離れた位置に設置することにより、案内用滑車が汚泥等の中に埋没してしまう事態の発生を回避し、案内用滑車の滑らかな回転によりくらげ流入防止網の海中からの引き上げと、海中への展張を容易に実施することのできる、くらげ流入防止網の展張装置を提供することを目的とする。
【課題を解決するための手段】
【００１５】
本考案に係るくらげ流入防止網の展張装置は、岸壁に設けている取水口の前面に、くらげ流入防止網を展張する場合において、くらげ流入防止網が備えている展開ロープを海底側で巻回する案内用滑車を、海底から離れた位置に設置していることで、上述した課題を解決した。
【００１６】
また、案内用滑車を、海底からおよそ０．５メートル乃至４メートル離れた位置に設置していることで、同じく上述した課題を解決した。
【００１７】
さらに、案内用滑車を、海底からおよそ３メートル離れた位置に設置していることで、同じく上述した課題を解決した。
【００１８】
また、案内用滑車は、海底に設置されているシンカーブロックに、所定の長さのチェーンを介して取り付けられていることで、同じく上述した課題を解決した。
【考案の効果】
【００１９】
本考案に係るくらげ流入防止網の展張装置は、岸壁に設けている取水口の前面に、くらげ流入防止網を展張する場合において、くらげ流入防止網が備えている展開ロープを海底側で巻回する案内用滑車を、海底から離れた位置に設置していることから、この案内用滑車が、海中において汚泥等の中に埋没してしまう事態の発生を回避している。
【００２０】
その結果、海中に設置されている案内用滑車の滑らかな回転を常に維持できることとなり、案内用滑車に巻回している展開ロープの操作により、くらげ流入防止網の海中からの引き上げと、海中への展張を容易に実施することができる。
【００２１】
具体的には、海中に展張しているくらげ流入防止網において、展開ロープをゆるめながら、引き上げロープを引っ張り上げることにより、案内用滑車が滑らかに回転し、案内用滑車に巻回している展開ロープが海上側に向けて送り出されて、くらげ流入防止網が海中から引き上げられるのである。
【００２２】
また、案内用滑車を海底から離れた位置に設置して、案内用滑車が汚泥等の中に埋没してしまう事態の発生を回避していることから、くらげ流入防止網を海中に展張するために、展開ロープを案内用滑車に巻回する際に、事前に汚泥等を除去して案内用滑車を露出させるという面倒な作業を実施する必要が無い。
【００２３】
さらに、案内用滑車に巻回した展開ロープの端部を、海上のスタンション側で引っ張り上げることにより、案内用滑車を滑らかに回転させて、くらげ流入防止網を所定の位置に迅速に展張することができる。
【００２４】
また、案内用滑車を、海底からおよそ０．５メートル乃至４メートル離れた位置に設置したときには、国内における多くの海中において、案内用滑車が汚泥等の中に埋没してしまう事態の発生を回避することができる。
【００２５】
加えて、案内用滑車を、海底からおよそ３メートル離れた位置に設置したときには、例えば、東京湾海域における海中において、案内用滑車が汚泥等の中に埋没してしまう事態の発生を回避できることが実証されている。
【００２６】
また、案内用滑車は、海底に設置されているシンカーブロックに、所定の長さのチェーンを介して取り付けられていることから、海底からの離隔距離を、比較的に容易に変更できる。
【００２７】
その為、新設時や浚渫直後の汚泥等が堆積していない状況において、本考案に係るくらげ流入防止網の展張装置を設置すると、その後に汚泥等の堆積が予測される海域において、案内用滑車の位置を、必要に応じて適宜変更することで、くらげ流入防止網の展張装置の機能を維持することが可能となる。
【００２８】
具体的には、汚泥等の堆積が発生した場合、チェーンの長さを調節して案内用滑車の位置を変更することにより、浚渫、シンカーブロックの据え付け替え、また、固定のための杭設置等の大規模な土木工事を実施する必要がなくなる。
【００２９】
また、浚渫を行う場合であっても、その実施工事回数を減らすことができる。そして、実施した浚渫工事と、次に実施する浚渫工事の間隔を長くすることが可能となり、濁水の発生を少なくして、環境に与える負荷も低減することができる。
【図面の簡単な説明】
【００３０】
【図１】岸壁に設けている取水口の前面に、くらげ流入防止網を展張した場合において、くらげ流入防止網が備えている展開ロープを海底側で巻回する案内用滑車を、海底から離れた位置に設置している状態を示す側面図である。
【図２】岸壁に設けている取水口の前面に、くらげ流入防止網を展張した場合において、くらげ流入防止網が備えている展開ロープを海底側で巻回する案内用滑車を、海底から離れた位置に設置している状態を示す正面図である。
【図３】岸壁に設けている取水口の前面に、くらげ流入防止網を展張した場合において、くらげ流入防止網が備えている展開ロープを海底側で巻回する案内用滑車を、海底近辺に設置している状態を示す側面図である。
【図４】岸壁に設けている取水口の前面に、くらげ流入防止網を展張した場合において、くらげ流入防止網が備えている展開ロープを海底側で巻回する案内用滑車を、海底近辺に設置している状態を示す正面図である。
【図５】特許文献１に示すクラゲ侵入防止装置の構成を示す側面図である。
【考案を実施するための形態】
【００３１】
以下に、図面を参照して、本考案を実施するための形態を詳細に説明する。
【００３２】
本考案に係る、くらげ流入防止網Ａの展張装置は、図１・図２に示すように、岸壁に設けている取水口の前面に、くらげ流入防止網Ａを展張する場合において、くらげ流入防止網Ａが備えている展開ロープＲ１を海底側で巻回する案内用滑車１を、海底から離れた位置に設置していることに特徴を有している。
【００３３】
施設の取水口側には、図１に示すように、取水口の全幅に渡って所定のカーテンウォールＷが海中に設置されており、カーテンウォールＷの上部には、海上に位置するように、作業架台Ｋが設置されている。この作業架台Ｋ上には、所定のスタンションＳが設置されている。また、スタンションＳの前側には、ガイドローラー部Ｇが設置されている。
【００３４】
海中に展張するくらげ流入防止網Ａは、図２に示すように、全体の網を複数個に分割し、分割した網のそれぞれを相互にロープで緊縛し、一体化することにより構成されている。また、分割した網のそれぞれにおいて、網の両側における下縁に展開ロープＲ１が配設されており、また、網の両側における上縁に引き上げロープＲ２が配設されている。
【００３５】
くらげ流入防止網Ａの展開ロープＲ１は、図１に示すように、海底側に設置されている案内用滑車１に巻回され、展開ロープＲ１の端部が、海上のスタンションＳ側に配置されている。このとき、くらげ流入防止網Ａは、分割した網のそれぞれにおいて、網の両側における下縁に展開ロープＲ１が配設されており、全体として複数の展開ロープＲ１を備えていることから、図２に示すように、これらの複数の展開ロープＲ１を巻回する案内用滑車１も複数存在している。
【００３６】
案内用滑車１は、図１に示すように、海底に設置されているコンクリート製のシンカーブロックＢに取り付けられている。具体的には、シンカーブロックＢに半環状のフック２が固定されており、シャックル３を介して、フック２に所定の長さのチェーン４が取り付けられている。また、チェーン４の先端側にもシャックル３が配設され、このシャックル３を介して、案内用滑車１が取り付けられている。
【００３７】
スタンションＳは、所定の長さの円柱状に構成され、作業架台Ｋ上に設置されている。このスタンションＳには、図１に示すように、円柱の両側に、それぞれ上下２本の横棒Ｓａ・Ｓｂが取り付けられている。
【００３８】
そして、くらげ流入防止網Ａの上縁に配設されている引き上げロープＲ２が、
作業架台Ｋのガイドローラー部Ｇを介してスタンションＳの上側の横棒Ｓａに案内され、スタンションＳに巻き付けられる。一方、くらげ流入防止網Ａの下縁に配設されている展開ロープＲ１は、案内用滑車１を経由してから、作業架台Ｋのガイドローラー部Ｇを介してスタンションＳの下側の横棒Ｓｂに案内され、スタンションＳに巻き付けられる。
【００３９】
図１に示す展張状態のくらげ流入防止網Ａを引き上げる際には、くらげ流入防止網Ａを個別の網毎に切り離した状態で、展開ロープＲ１を弛めながら、引き上げロープＲ２を引っ張り上げて、個別の網毎に作業架台Ｋ上に引き上げる。
【００４０】
また、くらげ流入防止網Ａを海中に展張する際には、複数の個別の網を作業架台Ｋ上に並べ、隣接する網同士をロープで緊縛して接続する。その後、網の下縁に展開ロープＲ１を配設すると共に、網の上縁に引き上げロープＲ２を配設し、展開ロープＲ１を案内用滑車１に巻回してから展開ロープＲ１の端部を引っ張り上げることにより、取水口の前面にくらげ流入防止網Ａを展張する。
【００４１】
そして、くらげ流入防止網Ａの全体が所定の位置に展張された状態で、引き上げロープＲ２と展開ロープＲ１を、スタンションの上側の横棒Ｓａと下側の横棒Ｓｂに案内し、スタンションＳに巻き付けるのである。
【００４２】
この様にして、図１に示すように、取水口の前面にくらげ流入防止網Ａを展張するのであるが、シンカーブロックＢに、シャックル３とチェーン４を介して取り付けられている案内用滑車１を、海底から離れた位置、具体的には、案内用滑車１を海底からおよそ０．５メートル乃至４メートル離れた位置に設置している。
【００４３】
例えば、東京湾海域における火力発電所で実施したくらげ流入防止網Ａでは、網下の開口部寸法を２ｍとしている。この場合、案内用滑車１の位置は、これよりも下となり、海底からおよそ１．７メートル離れた位置となる。
【００４４】
また、海底に汚泥等が堆積していない新設時を想定すると、条件にもよるが、網下の開口部寸法を、最小０．８メートルとすることができる。この場合、滑車の位置は、海底からおよそ０．５メートル離れた位置となる。
【００４５】
その為に、案内用滑車１の位置を、海底から少なくとも０．５メートル離れた位置に設置しているのである。
【００４６】
尚、海底における汚泥等の堆積状況に応じて、案内用滑車１を、海底からおよそ３メートル離れた位置に設置しても良い。更に、案内用滑車１を、海底からおよそ４メートル以上離れた位置に設置しても良い。
【００４７】
また、案内用滑車１は、海底に設置されているシンカーブロックＢに、所定の長さのチェーン４を介して取り付けられていることから、このチェーン４の長さを適宜調節して、海底からの離隔距離を比較的に容易に変更できる。
【００４８】
この他、本考案は、前記した実施の形態に限定されるものではなく、本考案の目的を達成できる範囲での改良・変形等は、本考案に全て包含されるものである。
【産業上の利用可能性】
【００４９】
本考案は、大量の海水を冷却水として利用している施設の取水口に、くらげ等の浮遊物が入り込んでしまう事態の発生を防止するために、取水口の前面にくらげ流入防止網を展張するものであるが、これ以外にも、様々な水中において、種々の網状構造物を引き上げ可能に展張する場合にも、幅広く利用することができる。
【符号の説明】
【００５０】
Ａ…くらげ流入防止網
Ｒ１…展開ロープ
Ｒ２…引き上げロープ
Ｂ…シンカーブロック
Ｂ１…シンカー
Ｓ…スタンション
Ｓ１…展開ロープの巻取り手段
Ｓａ…横棒
Ｓｂ…横棒
Ｗ…カーテンウォール
Ｋ…作業架台
Ｇ…ガイドローラー部
１…案内用滑車
２…フック
３…シャックル
４…チェーン
１００…案内用滑車
【図１】
0003196179.tif 000003
【図２】
0003196179.tif 000004
【図３】
0003196179.tif 000005
【図４】
0003196179.tif 000006
【図５】
0003196179.tif 000007